(57)【要約】【課題】盛り土の高さに関係なく又支線アンカーの打ち替えをすることなく、容易に支線棒の高さを調節する施工作業を実施することができる伸縮型支線棒を提供する。【解決手段】電線の張力を支えるための支線３を地面側で固定する支線棒４と、支線棒４と連結されることで、支線３を適切な角度で固定するように地中に埋設する支線アンカー５と、内径が異なる外筒及び内筒の二重構造からなり、一端を支線棒４に固定すると共に他端を支線アンカー５に固定することで支線棒４と支線アンカー５を接続する伸縮棒６とを有し、伸縮棒６が所定の長さとなるように内筒に対する外筒の固定位置を調整するように伸縮させることで、支線棒４を地面に対して所望の高さで固定するように構成した。【選択図】図１
2007224623.tif 000002
【特許請求の範囲】
【請求項１】
電線の張力を支えるための支線を地面側で固定する支線棒と、
前記支線棒と連結されることで、前記支線を適切な角度で固定するように地中に埋設する支線アンカーと、
内径が異なる外筒及び内筒の二重構造からなり、一端を支線棒に固定すると共に他端を支線アンカーに固定することで前記支線棒と前記支線アンカーを接続する伸縮棒とを有し、
前記伸縮棒が所定の長さとなるように内筒に対する外筒の固定位置を調整するように伸縮させることで、前記支線棒を地面に対して所望の高さで固定するように構成したことを特徴とする伸縮型支線棒。
【請求項２】
請求項１に記載の伸縮型支線棒において、前記伸縮棒の外筒及び内筒の双方は、その長手方向に所定のピッチで設けられた調整部をそれぞれ有し、当該調整部を併せて固定するように構成したことを特徴とする伸縮型支線棒。
【請求項３】
請求項１又は２に記載の伸縮型支線棒において、前記伸縮棒は、汎用品として用いられている支線棒及び支線アンカーにそのまま接続可能であるような形状に構成したことを特徴とする伸縮型支線棒。
【発明の詳細な説明】
【技術分野】
【０００１】
本発明は、電線の張力を支えるための支線を固定する支線棒に関し、特に、土や土砂の強度が不安定な土地で使用する場合に有効な伸縮型支線棒に関する。
【背景技術】
【０００２】
従来から、電力会社など電柱を所有している会社では、電線の張力を支えるための支線を１つの電柱に対して複数本用いることで固定している。このような支線を固定する際に使用されている支線棒は、一般的に、予め定められた長さのものを用いている。このような支線棒を使用することで、種々の電柱に対する汎用品として用いられていた。
【０００３】
しかしながら、上述のように扱われている数々の支線棒は、田や畑に施設されている支線の場所が宅地造成等により盛り土をして用いられる場合に、その支線棒が土砂などに埋まってしまう事態が発生することがあるため、支線の打ち替えを実施しなければならなかった。
【０００４】
上述のような状況から、宅地造成等により盛り土をして支線棒を固定する場合に、例えば、支線棒と接続されており地中に埋設されている支線アンカーの打ち替えをすることなく、又盛り土の高さに関係なく事前に状況を踏まえて施工できるような構造の支線棒が望まれていた。
【０００５】
また、支線棒に関する技術として、例えば、支線棒と地中アンカー本体の頭部とを自在継ぎ手で接続することで支線棒の付根部分に無理な力の加わらない地中アンカ（特許文献１参照）が開示されているが、支線アンカーの打ち替えが発生した場合を想定した構造等ではないため、上述のような状況には適用できるものではない。
【０００６】
【特許文献１】特開２００１−２７１３４６号公報
【発明の開示】
【発明が解決しようとする課題】
【０００７】
本発明はこのような事情に鑑み、盛り土の高さに関係なく又支線アンカーの打ち替えをすることなく、容易に支線棒の高さを調節する施工作業を実施することができる伸縮型支線棒を提供することを課題とする。
【課題を解決するための手段】
【０００８】
上記課題を解決する本発明の第１の態様は、電線の張力を支えるための支線を地面側で固定する支線棒と、前記支線棒と連結されることで、前記支線を適切な角度で固定するように地中に埋設する支線アンカーと、内径が異なる外筒及び内筒の二重構造からなり、一端を支線棒に固定すると共に他端を支線アンカーに固定することで前記支線棒と前記支線アンカーを接続する伸縮棒とを有し、前記伸縮棒が所定の長さとなるように内筒に対する外筒の固定位置を調整するように伸縮させることで、前記支線棒を地面に対して所望の高さで固定するように構成したことを特徴とする伸縮型支線棒にある。
【０００９】
かかる第１の態様では、伸縮棒が所定の長さとなるように内筒に対する外筒の固定位置を調整するように伸縮させることで、支線棒を地面に対して所望の高さで固定するように構成される。これにより、盛り土の高さに関係なく又支線アンカーの打ち替えをすることなく、容易に支線棒の高さを調節する施工作業を実施することができる。
【００１０】
本発明の第２の態様は、第１の態様に記載の伸縮型支線棒において、前記伸縮棒の外筒及び内筒の双方は、その長手方向に所定のピッチで設けられた調整部をそれぞれ有し、当該調整部を併せて固定するように構成したことを特徴とする伸縮型支線棒にある。
【００１１】
かかる第２の態様では、円筒形状からなる伸縮棒の外筒及び内筒の双方が、その長手方向に所定のピッチで設けられた調整部を併せて固定するように構成されることになる。これにより、盛り土の高さに関係なく又支線アンカーの打ち替えをすることなく、より容易に支線棒の高さを調節する施工作業を実施することができる。
【００１２】
本発明の第３の態様は、第１又は２の態様に記載の伸縮型支線棒において、前記伸縮棒は、汎用品として用いられている支線棒及び支線アンカーにそのまま接続可能であるような形状に構成したことを特徴とする伸縮型支線棒にある。
【００１３】
かかる第３の態様では、伸縮棒が、汎用品として用いられている支線棒及び支線アンカーにそのまま接続可能なようになっている。これにより、特別な加工を施すことなく通常用いられる部材を活用して、支線棒の高さを調節するための施工作業をすることができる。
【発明の効果】
【００１４】
本発明によれば、支線棒と支線アンカーとの間に伸縮棒を設けることで、それらの距離間を調整できるようにしたため、盛り土の高さに関係なく又支線アンカーの打ち替えをすることなく、容易に支線棒の高さを調節する施工作業を実施することができる伸縮型支線棒を提供することが可能となる。
【発明を実施するための最良の形態】
【００１５】
以下、図面を用いて本発明を実施するための最良の形態について説明する。なお、本実施形態の説明は例示であり、本発明の構成は以下の説明に限定されない。
【００１６】
図１は、本発明の一実施形態に係る伸縮型支線棒の使用方法を説明するための概略図である。
【００１７】
図示するように、本実施形態の伸縮型支線棒１は、電柱２の固定部２ａを介して支線３が固定された支線棒４と地中に埋設される支線アンカー５との間に、支線３の延長線上の方向で伸縮する伸縮棒６が支線棒４と支線アンカー５との間で可動可能なように設けられることで構成されている。
【００１８】
具体的には、電線の張力を支えるための支線３を地面側で固定する支線棒４と、支線棒４と連結されることで、支線３を適切な角度で固定するように地中に埋設する支線アンカー５と、内径が異なる外筒及び内筒の二重構造からなり、一端を支線棒４に固定すると共に他端を支線アンカー５に固定することで支線棒４と支線アンカー５を接続する伸縮棒６とを有している。そして、伸縮棒６が所定の長さとなるように内筒に対する外筒の固定位置を調整するように伸縮させることで、支線棒４が地面に対して所望の高さで固定されるように構成されている。
【００１９】
ここで、伸縮棒６の取り付け構造について具体的に説明する。図２は、本発明の一実施形態に係る伸縮棒の取り付け構造を説明する図である。
【００２０】
図２（ａ）には、伸縮棒６を取り付ける前の従来の状態の構成が示されている。図２（ａ）に示すように、従来では、支線棒４と支線アンカー５とが固定部材７により接続されて固定されている。
【００２１】
この固定部材７は、Ｕ字形状からなり支線棒４と支線アンカー５とをそれぞれ端部に固定するための部材であり、支線棒４を固定する貫通孔７ａを有している一方で、支線アンカー５をボルトで固定する固定穴７ｂを有している。これにより、支線棒４は、固定部材７の貫通孔７ａを介して固定されると共に、支線アンカー５は、固定部材７の固定穴７ｂに対してボルト締めで固定される。
【００２２】
図２（ｂ）には、伸縮棒６が取り付けられた状態の構成が示されている。図２（ｂ）に示すように、支線棒４と支線アンカー５は、伸縮棒６により接続されて固定されている。この伸縮棒６は、汎用品として用いられている支線棒４及び支線アンカー５にそのまま接続可能であるような形状に構成されている。すなわち、本実施形態の伸縮棒６は、図２（ａ）に示す支線棒４と支線アンカー５の接続部分の形状をそのまま活用することができる。
【００２３】
この伸縮棒６は、支線棒４と支線アンカー５の間で可動可能なように設けられたものであり、支線棒４を固定する貫通孔６ａを有している一方で、支線アンカー５をボルトで固定する固定穴６ｂを有している。これにより、支線棒４が伸縮棒６の貫通孔６ａを介して固定されると共に、支線アンカー５が伸縮棒６の固定穴６ｂに対してボルト締めで固定されることで、支線棒４と支線アンカー５間の距離が所望の長さに固定できるようになっている。
【００２４】
このような構造により、伸縮棒６は、支線棒４及び支線アンカー５に予め接続されている又は支線棒４及び支線アンカー５を取り付け後に別途接続されるように構成することができる。すなわち、電柱２の設置作業の前後に関わらず、また、設置作業の前後で生じる環境の変化に応じて、柔軟に伸縮棒６を活用して支線棒４の地面に対する高さを調節することができる。
【００２５】
ここで、伸縮棒６の具体的な構成について説明する。図３は、本発明の一実施形態に係る伸縮棒の上面図及び側面図である。なお、図３（ａ）には伸縮棒６の上面図が示されており、図３（ｂ）には伸縮棒６の側面図が示されている。
【００２６】
図３に示すように、上述した伸縮棒６の外筒６１及び内筒６２の双方は、円筒形状からなり、その長手方向に所定のピッチで設けられた調整部としての調整穴６ｃをそれぞれ有し、その調整穴６ｃを併せてボルトで固定するように構成されている。
【００２７】
そして、伸縮棒６、すなわち、支線棒４と支線アンカー５の間が所定の長さとなるように、内筒６２に対する外筒６１の固定位置を調整穴６ｃでボルト締めして調整する。
【００２８】
また、伸縮棒６には、支線棒４を固定する貫通孔６ａを配置するための配置部材６３が外筒６１の一端に設けられていると共に、支線アンカー５を固定する固定穴６ｂを配置するための配置部材６４が内筒６２の一端に設けられている。そして、配置部材６３及び６４が設けられていない他端同士の筒が二重になるように重ね合わさることで、支線棒４と支線アンカー５の間の長さが伸縮できる構成となっている。
【００２９】
本実施形態では、外筒６１及び内筒６２はパイプ方式（例えば、二十管方式）からなり、調整穴６ｃは、１５ｃｍ〜２０ｃｍの間隔で設けられているものとし、最大で２ｍの長さを保持することができるような構成の伸縮棒６を想定している。
【００３０】
上述したような伸縮棒６を有する伸縮型支線棒１により、盛り土の高さに関係なく事前に状況を踏まえて効率的に施工作業を実施することが可能となる。また、支線アンカー５を打ち替えることなく、容易に支線棒４の高さの調節をすることができるため、例えば、宅地造成などを効率的に実施することも可能となる。
【００３１】
（他の実施形態）
上述した実施形態では、支線棒４と支線アンカー５の間の距離を調整するために、伸縮棒６を用いていたが、特にこれに限定されず、例えば、図４に示すようなターンバックル部材８を用いて距離を調整するようにしてもよい。ターンバックル部材８とは、例えば、鉄筋の筋交やワイヤーロープなどの緊張用金具として用いられる。図４に示す例では、本体部材８１に対して、ネジ部を有する連結棒８２がねじ込み可能なように２つ設けられており、それぞれ支線棒４と支線アンカー５に接続されることになる。このような構成により、連結棒８２のねじ込み位置を調整することで、支線棒４と支線アンカー５の間の距離を伸縮させて固定することができる。
【図面の簡単な説明】
【００３２】
【図１】本発明の一実施形態に係る伸縮型支線棒の使用方法を説明するための概略図である。
【図２】本発明の一実施形態に係る伸縮棒の取り付け構造を説明する図である。
【図３】本発明の一実施形態に係る伸縮棒の上面図及び側面図である。
【図４】本発明の一実施形態に係る伸縮棒の変形例を示す図である。
【符号の説明】
【００３３】
１  伸縮型支線棒
２  電柱
２ａ  固定部
３  支線
４  支線棒
５  支線アンカー
６  伸縮棒
６ａ  貫通孔
６ｂ  固定穴
６ｃ  調整穴
７  固定部材
７ａ  貫通孔
７ｂ  固定穴
８  ターンバックル部材
６１  外筒
６２  内筒
６３、６４  配置部材
８１  本体部材
８２  連結棒
【図１】
2007224623.tif 000003
【図２】
2007224623.tif 000004
【図３】
2007224623.tif 000005
【図４】
2007224623.tif 000006